(57)【要約】【課題】  表示画面のサイズを大きくしつつ、表示部の第１の表面とは表裏逆側の第１の裏面と、本体部の第２の表面とは表裏逆側の第２の裏面とを対向させることが可能であると共に、本体部の第２の表面と表示部の第１の表面とのなす角を所定の鈍角とすることが可能な電子機器を提供する。【解決手段】  第１の突部３３ａ，３３ｂが表示部３の裏面３Ｂから裏面３Ｂに直交する方向（Ｚ方向）に突設され、第２の突部２１ｂ，２１ｃが本体部２の表面２Ｂ（を含むＸＹ平面）から表面２Ｂに直交する方向に突設されている。このため、表示部３が連結機構４１に重なる部分のサイズｃ分、表示部３を大きくできる。表面２Ａから表面２Ａに直交する方向に離れた位置に回動軸Ｘを位置させることができる。よって、本体部２に対して表示部３を閉じた状態と、上面２Ａに対する表示画面３Ａのなす角度θが鈍角となる状態との間で表示部３を回動させることができる。【選択図】図１
2011048536.tif 000002
【特許請求の範囲】
【請求項１】
画像を表示可能な表示画面を有する第１の表面と、前記第１の表面と表裏逆側の第１の裏面とを有する表示部と、
前記第１の裏面に対向するように配置可能な第２の裏面と、前記第２の裏面と表裏逆側の第２の表面と、前記第２の表面側に設けられ情報を入力するための第１の入力部とを有する本体部と、
前記表示部の第１の裏面と前記本体部の第２の裏面とが対向する第１の状態と、前記本体部の第２の表面に対する前記第１の表面のなす角度が所定の鈍角となる第２の状態との間で前記本体部と前記表示部とを回動自在に連結する連結部と
を具備し、
前記連結部は、
前記回動を担う軸と、
前記軸を軸支する軸受部と、
前記表示部の前記第１の裏面に設けられ、前記軸および前記軸受部のうち一方を有する第１の突部と、
前記本体部の第２の表面に設けられ、前記軸および前記軸受部のうち他方を有する第２の突部とを有する
電子機器。
【請求項２】
請求項１に記載の電子機器であって、
前記本体部の前記第２の突部は、バッテリを収容するバッテリ収容部を有する電子機器。
【請求項３】
請求項２に記載の電子機器であって、
前記第１の突部は、前記本体部に係合して、前記第２の状態に拘束する係合部を有する電子機器。
【請求項４】
請求項３に記載の電子機器であって、
前記第１の入力部は、複数のキーを備えるキーボードユニットを有し、
前記第２の表面には、前記キーボードユニットの前記複数のキーを表出可能な複数の開口が形成されており、
当該電子機器は、
前記本体部と前記表示部との相対的な回動に連動して、各前記開口を通じて各前記キーが前記第２の表面から突出した第１の状態と前記第２の表面から突出しない第２の状態との間で前記キーボードユニットを移動させる移動機構を更に具備する
電子機器。
【請求項５】
請求項４に記載の電子機器であって、
前記表示部の前記表示画面は、前記第１の裏面の前記第１の突部が設けられた領域に対応する前記第１の表面の領域を含む、前記第１の表面のほぼ全体領域に設けられている電子機器。
【発明の詳細な説明】
【技術分野】
【０００１】
本発明は、キーボード等を備える本体部と画像等を表示する表示部とを備えた折り畳み可能な電子機器に関する。
【背景技術】
【０００２】
従来、複数のキー等の入力部を備える本体部と、画像を表示する表示画面を有する表示部とを有し、入力部に対して表示画面が対向するように本体部に対して表示部を折り畳み可能な電子機器が知られている。表示部が表示画面での例えばペン等による入力機能を有する場合には、本体部に対して表示部を開いた状態では、ペン等による入力操作が困難となる場合がある。このため、電子機器が、本体部と表示部とに対してそれぞれ回動可能に設けられた連結部材を備えるようにすることで、回動軸を２箇所にし、本体部の裏面と表示部の裏面とが対向するように本体部に対して表示部を逆向きに折り畳むことを可能にしている。これにより、ペン等による入力操作を容易にしている（例えば、特許文献１参照。）。
【先行技術文献】
【特許文献】
【０００３】
【特許文献１】特開平７−８４６７７号公報（段落［０００４］、図１）
【発明の概要】
【発明が解決しようとする課題】
【０００４】
しかしながら、上述した技術では、表示部は、連結部材と回動可能に連結するための蝶番等の連結機構を備える必要がある。このため、この連結機構の奥行き方向のサイズ分、表示部の奥行き方向のサイズが小さくなる、という問題がある。
【０００５】
以上のような事情に鑑み、本発明の目的は、表示画面のサイズを大きくしつつ、表示部の第１の表面とは表裏逆側の第１の裏面と、本体部の第２の表面とは表裏逆側の第２の裏面とを対向させることが可能であると共に、本体部の第２の表面と表示部の第１の表面とのなす角を所定の鈍角とすることが可能な電子機器を提供することにある。
【課題を解決するための手段】
【０００６】
上記目的を達成するため、本発明の一形態に係る電子機器は、表示部と、本体部と、連結部とを有する。
上記表示部は、画像を表示可能な表示画面を有する第１の表面と、上記第１の表面と表裏逆側の第１の裏面とを有する。
上記本体部は、上記第１の裏面に対向するように配置可能な第２の裏面と、上記第２の裏面と表裏逆側の第２の表面と、上記第２の表面側に設けられ情報を入力するための第１の入力部とを有する。
上記連結部は、上記表示部の第１の裏面と上記本体部の第２の裏面とが対向する第１の状態と、上記本体部の第２の表面に対する上記第１の表面のなす角度が所定の鈍角となる第２の状態との間で上記本体部と上記表示部とを回動自在に連結する。
上記連結部は、上記回動を担う軸と、上記軸を軸支する軸受部と、上記表示部の上記第１の裏面に設けられ、上記軸および上記軸受部のうち一方を有する第１の突部と、上記本体部の第２の表面に設けられ、上記軸および上記軸受部のうち他方を有する第２の突部とを有する。
【０００７】
本発明では、軸および軸受部のうち一方を有する第１の突部が、表示部の第１の裏面に設けられ、軸および軸受部のうち他方を有する第２の突部が、本体部の第２の表面に設けられている。このため、表示部が連結部に重なる位置にまで設けられることになるので、表示部のうち連結部に重なる部分の分、表示部のサイズを大きくすることができる。また、軸および軸受部を本体部の第２の表面からこの第２の表面に直交する方向に突出した位置に位置させることができる。これにより、表示部の第１の裏面と本体部の第２の裏面とが対向する第１の状態と、本体部の第２の表面に対する表示部の第１の表面のなす角度が所定の鈍角となる第２の状態との間で本体部に対して表示部を回動自在とすることができる。
【０００８】
上記本体部の上記第２の突部は、バッテリを収容するバッテリ収容部を有するようにしてもよい。
これにより、第２の突部が占める領域をバッテリを収容するための領域として用いることができる。
【０００９】
上記第１の突部は、上記本体部に係合して、上記第２の状態に拘束する係合部を有するようにしてもよい。
これにより、第２の状態での本体部の第２の表面に対する表示部の第１の表面のなす角度を規制することができる。
【００１０】
上記第１の入力部は、複数のキーを備えるキーボードユニットを有し、上記第２の表面には、上記キーボードユニットの上記複数のキーを表出可能な複数の開口が形成されており、当該電子機器は、上記本体部と上記表示部との相対的な回動に連動して、各上記開口を通じて各上記キーが上記第２の表面から突出した第１の状態と上記第２の表面から突出しない第２の状態との間で上記キーボードユニットを移動させる移動機構を更に具備するようにしてもよい。
これにより、本体部に対する表示部の回動に連動して移動機構によりキーボードユニットを移動させ各キーを各開口から表出したり表出させなかったりすることができる。
【００１１】
上記表示部の上記表示画面は、上記第１の裏面の上記第１の突部が設けられた領域に対応する上記第１の表面の領域を含む、上記第１の表面のほぼ全体領域に設けられているようにしてもよい。
これにより、表示部の第１の表面のほぼ全域を表示画面として用いることができる。
【００１２】
上記本体部は、矩形板形状を有し、上記軸に沿う方向に第１の方向を有し、上記第１の方向及び上記キーの移動する方向に直交する方向に第２の方向を有し、上記移動機構が、上記表示部の回動に伴い上記軸を中心軸として上記軸の周りに所定の径で回動可能となるように上記第１の突部に設けられたピンと、上記ピンの係合する第２の係合部が形成されており、上記ピンの回動に応じて上記ピンから力が働き上記第２の方向にスライド可能なカムと、上記カムに固定され、上記キーボードユニットの上記キーが配置された側とは反対側の面である裏面側で上記第２の方向にスライド可能に設けられ、上記キーボードユニットの裏面側に当接可能であると共に上記第２の方向で上記連結部側に向けて下降する第１の傾斜面を備える第１の楔状突部を有するスライダーと、上記キーボードユニットの上記裏面側に形成され上記第１の状態で上記第１の楔状突部の上記第１の傾斜面に近接して対向し上記回動の軸の周りの回動に伴う上記スライダーのスライドに伴い上記第１の傾斜面に対して摺動し上記スライダーに対して移動する第２の傾斜面を備える第２の楔状凸部とを有するようにしてもよい。
これにより、表示部の回動に応じて回動の軸の周りに所定の径でピンが回動し、ピンがカムの第２の係合部に係合しているため、ピンの回動に応じてピンからカムに力が働き、カムが奥行き方向にスライドする。この結果、カムに固定されたスライダーが奥行き方向にスライドする。スライダーのスライドに伴い、スライダーの第１の楔状凸部の第１の傾斜面が、キーボードユニットの底面側に形成され第２の楔状突部の第２の傾斜面に対して摺動する。これにより、キーボードユニットの第２の楔状突部をスライダーに対して昇降させることができる。つまり、表示部の回動に連動してキーボードユニットを昇降させることができる。
【００１３】
上記本体部は、矩形板形状を有し、上記軸に沿う方向に第１の方向を有し、上記第１の方向及び上記キーの移動する方向に直交する方向に第２の方向を有し、上記移動機構が、上記表示部の回動に伴い上記軸の周りに回動可能となるように上記第１の突部に設けられたカムと、上記カムに当接すると共に上記カムの回動に連動して上記第２の方向にスライド可能に設けられ、上記第２の方向で連結部側に向けて下降する傾斜孔が形成されたスライダーと、上記スライダーが上記カムに当接するように上記スライダーに力を付与する弾性部材と、上記キーボードユニットを支持し上記傾斜孔を貫通する軸部を有し上記スライダーのスライドに伴う傾斜孔のスライドにより上記傾斜孔に案内されて上記キーの移動方向に移動する支持台とを有するようにしてもよい。
これにより、表示部の回動に応じて表示部と一体的にカムが回動するとき、スライダーがカムに当接するように弾性部材がスライダーに弾性力を付与しているため、カムの回動に連動して本体部の奥行き方向にスライダーがスライドする。このとき、スライダーの傾斜孔内に支持台の軸部が貫通しているので、スライダーのスライドに連動して支持台が昇降する。この結果、支持台に支持されたキーボードユニットの各キーを昇降させることができる。
【発明の効果】
【００１４】
本発明によれば、表示画面のサイズを大きくしつつ、表示部の第１の表面とは表裏逆側の第１の裏面と、本体部の第２の表面とは表裏逆側の第２の裏面とを対向させることが可能であると共に、本体部の第２の表面と表示部の第１の表面とのなす角を所定の鈍角とすることができる。
【図面の簡単な説明】
【００１５】
【図１】本発明の一実施形態に係る電子機器の閉じた状態を示す斜視図である。
【図２】図１に示す電子機器の開いた状態を示す斜視図である。
【図３】図１に示す電子機器の分解斜視図である。
【図４】図１に示す電子機器のＡ−Ａ断面図である。
【図５】図５（Ａ）は図１に示す電子機器の本体部に対して表示部が６０度回動した状態を示す斜視図、図５（Ｂ）は本体部からキーが突出し始めたときの斜視図である。
【図６】図６（Ａ）は本体部に対して表示部が垂直となった状態を示す斜視図、図６（Ｂ）は本体部からキーの上昇が終了した状態における斜視図である。
【図７】図７（Ａ）はキーの位置を固定するための動作の初期状態を示す斜視図、図７（Ｂ）は図７（Ａ）に示す状態から更に表示部を回動させた状態を示す斜視図である。
【図８】図８（Ａ）はキーの位置を固定するための動作の終了状態を示す斜視図、図８（Ｂ）は本体部に対して表示部が平行になる状態を示す斜視図である。
【図９】図９（Ａ）は図５（Ａ）に示す電子機器のＢ−Ｂ断面図、図９（Ｂ）は図５（Ｂ）に示す電子機器のＣ−Ｃ断面図である。
【図１０】図１０（Ａ）は図６（Ａ）に示す電子機器のＤ−Ｄ断面図、図１０（Ｂ）は図６（Ｂ）に示す電子機器のＥ−Ｅ断面図である。
【図１１】図１１（Ａ）は図７（Ａ）に示す電子機器のＦ−Ｆ断面図、図１１（Ｂ）は図７（Ｂ）に示す電子機器のＧ−Ｇ断面図である。
【図１２】図１２（Ａ）は図８に示す電子機器のＨ−Ｈ断面図、図１２（Ｂ）は図８（Ｂ）に示す電子機器のＪ−Ｊ断面図である。
【図１３】図２に示す電子機器のＭ−Ｍ断面図である。
【図１４】図１に示す電子機器の一使用例を示す側面図である。
【図１５】第２の実施の形態の電子機器の閉じた状態を示す斜視図である。
【図１６】図１５に示す電子機器の開いた状態を示す斜視図である。
【図１７】表示部を閉じた状態での電子機器の内部構造を示す斜視図である。
【図１８】表示部を開いた状態での電子機器の内部構造を示す斜視図である。
【図１９】表示部を閉じた状態での電子機器の内部構造を示す平面図である。
【図２０】表示部を開いた状態での電子機器の内部構造を示す平面図である。
【図２１】表示部を閉じた状態での電子機器の内部を底面側から見た斜視図である。
【図２２】表示部を閉じた状態での電子機器の内部構造を示す側面図である。
【図２３】表示部を開いた状態での電子機器の内部構造を示す側面図である。
【図２４】図２４（Ａ）は変形例の電子機器を折り畳んだ状態でのキーボードユニットを示す断面図、図２４（Ｂ）は変形例の電子機器を開いた状態でのキーボードユニットを示す断面図である。
【図２５】他の変形例の電子機器の構成を示す斜視図である。
【図２６】閉じた状態の電子機器が保持された状態を示す図である。
【発明を実施するための形態】
【００１６】
以下、図面を参照しながら、本発明の実施形態を説明する。
［第１の実施の形態］
＜電子機器の構成＞
図１は本発明の一実施形態に係る電子機器の閉じた状態を示す斜視図、図２は図１に示す電子機器の開いた状態を示す斜視図である。
【００１７】
同図に示すように、電子機器１は、本体部２と、表示部３と、これらを回動自在に連結する連結部４とを備える。
【００１８】
本体部２は、表面２Ａ、表面２Ａとは表裏逆側の面を構成する裏面２Ｂ、本体部２に内蔵された後述する内蔵部品を備える。表示部３は、例えば画像等を表示可能な表示画面３ａを有する液晶パネルを内蔵している。表示部３は、表示画面３ａを有する表面３Ａとは表裏逆側の面を構成する裏面３Ｂを備える。表示画面３ａは、表面３Ａのほぼ全体領域に設けられている。表示部３は、本体部２に対する表示部３の回動の軸である回動軸Ｘの周りに矢印方向Ｋに回動自在である。具体的には、表示部３は、図１に示す本体部２に対して表示部３を閉じた状態と、図２に示す本体部２に対して表示部３を開いた状態との間で回動自在である。本体部２の表面２Ａに対する表示部３の表示画面３ａのなす角度θは、例えば図１では０度、図２では１２０度である。なお、この角度θは、９０度より大きい角度であれば特に限定されない。
【００１９】
表示部３を本体部２に対して閉じた状態では、図１に示すように本体部２の裏面２Ｂと、表示部３の裏面３Ｂとが対向する。この閉じた状態では、本体部２に設けられた複数のキー５は、本体部２の表面２Ａから突出せずに設けられている。つまり、この閉じた状態では、例えば複数のキー５の上面と、本体部２の表面２Ａとがほぼ同一平面（ＸＹ平面）内に位置するように配設されている。
【００２０】
本体部２に対して表示部３を開いた状態では、図２に示すように各キー５は、本体部２の厚さ方向（図２に示すＺ方向）に本体部２の表面２Ａから突出して設けられる。
【００２１】
連結部４は、本体部２の長手方向（図１に示すＸ方向）に直交する奥行き方向（図１に示すＹ方向）の奥側かつ表示部３の裏面３Ｂ側に設けられた一対の後述する連結機構４１を有する。一対の連結機構４１は、本体部２の長手方向に平行な回動軸Ｘの軸方向に離間して設けられている。一対の連結機構４１の間には、略円柱形状のバッテリ４２Ａが収容された略円柱形状のバッテリ収容部４２が配置されている。表示部３の奥行き方向のサイズａは、本体部２の表面２Ａの奥行き方向のサイズｂと連結部４の奥行き方向のサイズｃとの和とほぼ同じになっている。
【００２２】
図３は図１に示す電子機器１の分解斜視図、図４は図１に示す電子機器１のＡ−Ａ断面図である。
【００２３】
電子機器１は、表示部３と、本体部２を構成するキー部キャビネット２１、一対のスライドカム２２ａ，２２ｂ、スライダー２３、キーボードユニット２４及びキーカバー２５を備える。
【００２４】
表示部３は、液晶パネル等を収容する筺体３１を有する。表示部３は、画像等を表示する機能を有すると共に静電容量式や抵抗膜式のタッチパネルとしての機能を有する。
【００２５】
表示部３の裏面３Ｂには、奥行き方向（Ｙ方向）の奥側に第１の突部３３ａ，３３ｂが突設されている。第１の突部３３ａ，３３ｂは、回動軸Ｘの軸方向に離間して配設されている。第１の突部３３ａ，３３ｂは、それぞれ図１に示す連結機構４１の一部を構成する。第１の突部３３ａ，３３ｂは、それぞれ略円板形状を有する。第１の突部３３ａの側面には回動軸Ｘの軸方向に沿うようにピン３４ａが突設されている。第１の突部３３ｂの側面には回動軸Ｘの軸方向に沿うようにピン３４ｂが突設されている。ピン３４ａ，３４ｂは、表示部３の回動軸Ｘからずれた位置に互いに同軸上に突設されている。第１の突部３３ａ，３３ｂには、それぞれキー部キャビネット２１と連結するための軸受けである軸受部３３１ａ，３３１ｂが設けられている。図４に示すように第１の突部３３ａ，３３ｂには、表示部３の裏面３Ｂから裏面３Ｂに直交するＺ方向に表面２Ａから突出する位置に軸受部３３１ａ，３３１ｂが設けられている。
【００２６】
第１の突部３３ａ，３３ｂの背面側には、係合部としての係止溝３３ｃが形成されている。係合溝３３ｃは、断面略Ｖ字形状を有し、回動軸Ｘに沿う方向に全域に亘って形成されている。各係止溝３３ｃは、図２に示すように本体部２に対して表示部３を開いたときにキーカバー２５の端部に係合して表示部３の回動を規制するための溝である（後述する図５及び図１３参照）。
【００２７】
キー部キャビネット２１は、スライダー２３やキーボードユニット２４等が収められる矩形状の配置部２１ａ、各連結機構４１の一部をそれぞれ構成する第２の突部２１ｂ，２１ｃ、円柱状端部２１ｄ及びバッテリ収容部４２を備える。
【００２８】
配置部２１ａは、スライダー２３が配置される内底面２１ｅを備える。内底面２１ｅの奥行き方向（Ｙ方向）の長さは、長さｈ１である。配置部２１ａの側壁２１Ｈには、一対の切り欠き部２１Ｋが本体部２の長手方向（Ｘ方向）に離間して形成されている。
【００２９】
第２の突部２１ｂの側面には軸２１１ａが回動軸Ｘの軸方向に突出され、第２の突部２１ｃの側面には軸２１１ｂが回動軸Ｘの軸方向に突出されている。軸２１１ａ，２１１ｂは、回動軸Ｘと同軸上に形成されている。つまり、軸２１１ａ，２１１ｂの軸方向は、上述したピン３４ａ，３４ｂの軸方向と同一方向であるが、ＹＺ平面内での軸２１１ａ，２１１ｂの位置は、ピン３４ａ，３４ｂに対してずれている。軸２１１ａ，２１１ｂは、第１の突部３３ａ，３３ｂに形成された軸受部３３１ａ，３３１ｂにそれぞれ嵌る。図４に示すように本体部２の表面２Ａ（を含むＸＹ平面）から表面２Ａに直交するＺ方向にこの表面２Ａから突出して回動軸Ｘ（図３に示す軸２１１ａ，２１１ｂ）が設けられている。
【００３０】
円柱状端部２１ｄは、回動軸Ｘと同軸上の一端（右端）に設けられている。円柱状端部２１ｄは、例えば図示しない電源スイッチ等を収容する。バッテリ収容部４２内には、バッテリ収容部４２とほぼ同じ円柱形状のバッテリ４２Ａが例えばほぼ隙間なく収容されている。
【００３１】
第２の突部２１ｂとバッテリ収容部４２との間には、第１の突部３３ａ及びスライドカム２２ａが配置される隙間が形成されている。第２の突部２１ｃと円柱状端部２１ｄとの間には、第１の突部３３ｂ及びスライドカム２２ｂが配置される隙間が形成されている。
【００３２】
スライドカム２２ａは、第１の突部３３ａとバッテリ収容部４２との間に配置されると共に、スライドカム２２ｂは、第１の突部３３ｂと円柱状端部２１ｄとの間に配置される。スライドカム２２ａ，２２ｂには、それぞれ第２の係合部としてのカム溝２２１Ａ，２２１Ｂが形成されている（図４参照）。カム溝２２１Ａには、第１の突部３３ａのピン３４ａが嵌り込み、カム溝２２１Ｂには、第１の突部３３ｂのピン３４ｂが嵌り込む。なお、カム溝２２１Ａ，２２１Ｂの代わりに、カム溝２２１Ａ，２２１Ｂと同形状でありそれぞれピン３４ａ，３４ｂが嵌る貫通孔をそれぞれスライドカム２２ａ，２２ｂに形成するようにしてもよい。
【００３３】
カム溝２２１Ａと、カム溝２２１Ｂとは同形状を有する。カム溝２２１Ａと、カム溝２２１Ｂとは、回動軸Ｘに沿う方向に互いの位置が対応するように形成されている。カム溝２２１Ａは、図４に示すように第１の円弧状溝２２１ａと、第１の円弧状溝２２１ａに繋がる直線形状溝２２１ｂと、直線形状溝２２１ｂに繋がる第２の円弧状溝２２１ｃとで形成されている。第１の円弧状溝２２１ａは、回動軸Ｘを軸としてピン３４ａが回動するときにピン３４ａが移動する軌跡に沿うように形成されている。直線形状溝２２１ｂは、電子機器１の厚さ方向（図４に示すＺ方向）にほぼ直線状に形成されている。第２の円弧状溝２２１ｃは、回動軸Ｘを軸としてピン３４ａが回動するときにピン３４ａが移動する軌跡に沿うように形成されている。
【００３４】
スライダー２３は、キー部キャビネット２１の配置部２１ａ内に収められる。スライダー２３は、略矩形板形状を有し、奥行き方向（Ｙ方向）の長さは、長さｈ２である。この長さｈ２は、キーキャビネット部２１の配置部２１ａの内底面２１ｅの長さｈ１より短い。スライダー２３は、その背面２３Ｈ側に奥行き方向（Ｙ方向）に突出する一対のカム固定部２３ａ，２３ｂを備える。図４に示すように表示部３を閉じた状態では、図３に示す配置部２１ａ内のスライダー２３の背面２３Ｈと、配置部２１ａの側壁２１Ｈとは、奥行き方向（Ｙ方向）に離間して設けられる。
【００３５】
スライダー２３のカム固定部２３ａ，２３ｂにはスライドカム２２ａ，２２ｂが固定される（図４参照）。スライダー２３の上端はキーカバー２５に接触し、スライダー２３の底面側は配置部２１ａの内底面２１ｅに接触する。これにより、スライダー２３の厚さ方向（図４に示すＺ方向）の移動が規制される。本体部２に対して表示部３が回動軸Ｘを軸として回動するときに、回動軸Ｘを軸としてピン３４ａ，３４ｂが回動し、これに連動してスライドカム２２ａ，２２ｂ及びスライダー２３が一体となって奥行き方向（図４に示すＹ方向）にスライドする。カム固定部２３ａ，２３ｂは、上記一対の切り欠き部２１Ｋにそれぞれに本体部２の長手方向（Ｘ方向）に対応して形成されている。カム固定部２３ａ，２３ｂは、上記一対の切り欠き部２１Ｋにより、スライダー２３の奥行き方向（Ｙ方向）のスライドに伴う奥行き方向（Ｙ方向）のスライドを許容される。
【００３６】
スライダー２３の上面側には、奥行き方向に配列されたそれぞれのキー５に奥行き方向でそれぞれ対応するように複数の第１の楔状突部２３１が配設されている。各第１の楔状突部２３１は、スライダー２３の上面２３Ａから突設されており、それぞれスライダー２３の長手方向（Ｘ方向）のほぼ全域に亘るように設けられている。各第１の楔状突部２３１は、上端面２３１ａと、第１の傾斜面２３１ｂとを有する。上端面２３１ａは、上面２３Ａより厚さ方向で高い位置に上面２３Ａに平行に設けられている。第１の傾斜面２３１ｂは、上端面２３１ａの奥行き方向の奥側で上端面２３１ａから上面２３Ａに落ち込むように傾斜する。上面２３Ａからの上端面２３１ａの高さは、キーボードユニット２４を厚さ方向（Ｚ方向）に昇降させる高さに応じて適宜調整されている。第１の傾斜面２３１ｂの傾斜角度は、表示部３の回動時のスライダー２３のスライド量に応じて適宜調整されている。
【００３７】
キーボードユニット２４は、その上面側に複数のキー５がユーザにより押下可能に突設されている。キーボードユニット２４は、スライダー２３に重なるようにしてキー部キャビネット２１の配置部２１ａ内に収められる。図４に示すように本体部２に対して表示部３を閉じた状態では、スライダー２３の上面２３Ａは、キーボードユニット２４の底面２４Ｂとほぼ隙間なく接触する。つまり、キーボードユニット２４の底面２４Ｂ側には、奥行き方向に配列されたそれぞれのキー５に奥行き方向でそれぞれ対応するように複数の第２の楔状突部２４１が突設されている。各第２の楔状突部２４１は、キーボードユニット２４の長手方向（Ｘ方向）のほぼ全域に亘るように設けられている。
【００３８】
各第２の楔状突部２４１は、下端面２４１ａと、第２の傾斜面２４１ｂとを有する。下端面２４１ａは、底面２４Ｂより厚さ方向でスライダー２３側の位置に底面２４Ｂに平行に設けられている。下端面２４１ａの奥行き方向（Ｙ方向）の長さは、上端面２３１ａの奥行き方向（Ｙ方向）の長さに等しい（図１２（Ａ）参照）。第２の傾斜面２４１ｂは、下端面２４１ａの奥行き方向手前側で下端面２４１ａから底面２４Ｂに落ち込むように傾斜する。底面２４Ｂからの下端面２４１ａの高さは、キーボードユニット２４を厚さ方向（Ｚ方向）に昇降させる高さに応じて適宜調整されている。具体的には、底面２４Ｂからの下端面２４１ａの高さは、上面２３Ａからの上端面２３１ａの高さと同じである。第２の傾斜面２４１ｂの傾斜角度は、表示部３の回動時のスライダー２３のスライド量に応じて適宜調整されている。具体的には、第２の傾斜面２４１ｂは、第１の傾斜面２４１ａに平行である。
【００３９】
各キー５は、図４に示すように、本体部２に対して表示部３が閉じた状態であるときに、キーカバー２５に形成された各開口２５ａ内に挿入されていると共に、厚さ方向でキーカバー２５の上面から突出していない。
【００４０】
＜開閉動作＞
次に、上述した電子機器１の本体部２に対する表示部３の開閉動作について説明する。
図５（Ａ）は図１に示す電子機器１の本体部２に対して表示部３が６０度回動した状態を示す斜視図、図５（Ｂ）は本体部２からキー５が突出し始めたときの斜視図である。図９（Ａ）は図５（Ａ）に示す電子機器１のＢ−Ｂ断面図、図９（Ｂ）は図５（Ｂ）に示す電子機器１のＣ−Ｃ断面図である。
【００４１】
図１に示すように本体部２に対して表示部３が閉じられている状態から図５（Ａ）に示すように本体部２の裏面２Ｂに対する表示部３の裏面３Ｂの角度θ２が６０度になるように表示部３を回動させる。
【００４２】
このとき、図９（Ａ）に示すようにピン３４ａは、スライドカム２２ａのカム溝２２１Ａの第１の円弧状溝２２１ａ内を、図４に示す第１の円弧状溝２２１ａの一端の位置から図９（Ａ）に示す第１の円弧状溝２２１ａの他端の位置に移動する。第１の円弧状溝２２１ａがピン３４ａの移動の軌跡に沿うように形成されているので、ピン３４ａは、第１の円弧状溝２２１ａ内を移動する。
【００４３】
このとき、スライドカム２２ａにはピン３４ａから力が働かないので、スライドカム２２ａ及びスライダー２３は奥行き方向（Ｙ方向）に移動しない。この結果、スライダー２３の上面２３Ａ側と、キーボードユニット２４の底面２４Ｂ側とはほぼ隙間なく接触しタ状態のままとなる。なお、ピン３４ｂ側の動作についても同様であるのでその説明を省略する（以下、動作説明において同様）。また、このとき、各キー５は、本体部２の表面２Ａから突出していない。すなわち、本体部２の表面２Ａ側がほぼ平坦になっている。
【００４４】
次に、図５（Ａ）に示す状態から本体部２に対して表示部３を図５（Ｂ）に示すように更に回動させる。
このとき、図９（Ｂ）に示すように回動軸Ｘを軸として回動するピン３４ａが直線形状溝２２１ｂ内でスライドカム２２ａを押す。これにより、ピン３４ａは、スライドカム２２ａを奥行き方向（図９のＹ方向）奥側にスライドさせる。スライドカム２２ａはスライダー２３に固定されているため、スライドカム２２ａと一体的にスライダー２３が奥行き方向（図９のＹ方向）奥側にスライドを開始する。スライダー２３がスライドを開始する前には、スライダー２３の上面２３Ａ側とキーボードユニット２４の底面２４Ｂ側とがほぼ隙間なく配設されているため、スライダー２３のスライド開始とほぼ同時に、スライダー２３の第１の傾斜面２３１ｂがキーボードユニット２４の第２の傾斜面２４１ｂに沿ってスライドを開始する。これにより、スライダー２３がキーボードユニット２４を厚さ方向（図９（Ｂ）に示すＺ方向）に上昇させる。この結果、各キー５が、本体部２の表面２Ａから上昇し始める。
【００４５】
図６（Ａ）は本体部２に対して表示部３が垂直となった状態を示す斜視図、図６（Ｂ）は本体部２からキー５の上昇が終了した状態における斜視図である。図１０（Ａ）は図６（Ａ）に示す電子機器１のＤ−Ｄ断面図、図１０（Ｂ）は図６（Ｂ）に示す電子機器１のＥ−Ｅ断面図である。
【００４６】
図５（Ｂ）に示す状態から本体部２に対して表示部３を図６（Ａ）に示すように更に回動させる。
このとき、図１０（Ａ）に示すように回動軸Ｘを軸として回動するピン３４ａが直線形状溝２２１ｂ内でスライドカム２２ａを押す。これにより、スライドカム２２ａが更に奥行き方向（Ｙ方向）奥側にスライドする。これに伴い、スライダー２３がスライドカム２２ａと一体的に奥行き方向に更にスライドする。このとき、スライダー２３の第１の傾斜面２３１ｂがキーボードユニット２４の第２の傾斜面２４１ｂに沿ってスライドする。これにより、スライダー２３がキーボードユニット２４を厚さ方向（Ｚ方向）に更に上昇させる（図１０（Ａ））。この結果、各キー５が本体部２の表面２Ａから更に上昇する。
【００４７】
次に、図６（Ａ）に示す状態から本体部２に対して表示部３を図６（Ｂ）に示すように更に回動させる。
これにより、図１０（Ｂ）に示すように回動軸Ｘを軸として回動するピン３４ａが直線形状溝２２１ｂ内でスライドカム２２ａを押す。これにより、スライドカム２２ａが更に奥行き方向（Ｙ方向）奥側にスライドする。これにより、スライドカム２２ａに固定されているスライダー２３が奥行き方向奥側に更にスライドする。このとき、スライダー２３の第１の傾斜面２３１ｂがキーボードユニット２４の第２の傾斜面２４１ｂに沿ってスライドする。これにより、スライダー２３がキーボードユニット２４を厚さ方向（Ｚ方向）に更に上昇させる。この結果、第１の楔状突部２３１の上端面２３１ａが第２の楔状突部２４１の下端面２４１ａに当接し、各キー５の上昇が終了する。
【００４８】
図７（Ａ）はキー５の位置を固定するための動作の初期状態を示す斜視図、図７（Ｂ）は図７（Ａ）に示す状態から更に表示部を回動させた状態を示す斜視図である。図１１（Ａ）は図７（Ａ）に示す電子機器１のＦ−Ｆ断面図、図１１（Ｂ）は図７（Ｂ）に示す電子機器１のＧ−Ｇ断面図である。
【００４９】
図６（Ｂ）に示す状態から本体部２に対して表示部３を図７（Ａ）に示すように更に回動させる。
このとき、図１１（Ａ）に示すように回動軸Ｘを軸として回動するピン３４ａが直線形状溝２２１ｂ内でスライドカム２２ａを押す。これにより、スライドカム２２ａが奥行き方向（Ｙ方向）奥側にスライドする。これにより、スライドカム２２ａに固定されているスライダー２３が奥行き方向奥側に更にスライドする。このとき、スライダー２３の第１の楔状突部２３１の上端面２３１ａがキーボードユニット２４の第２の楔状突部２４１の下端面２４１ａに当接してスライドする。この上端面２３１ａと下端面２４１ａとは、スライダー２３のスライドする方向（Ｙ方向）に平行である。このため、スライダー２３が奥行き方向にスライドしてもキーボードユニット２４が厚さ方向に上昇しない。つまり、図１０（Ｂ）に示す状態と図１１（Ａ）に示す状態との間では、各キー５は本体部２の表面２Ａから上昇しない。
【００５０】
次に、図７（Ａ）に示す状態から本体部２に対して表示部３を図７（Ｂ）に示すように更に回動させる。
これにより、図１１（Ｂ）に示すように回動軸Ｘを軸として回動するピン３４ａが直線形状溝２２１ｂ内でスライドカム２２ａを押す。これにより、スライドカム２２ａが奥行き方向（Ｙ方向）奥側に更にスライドし、スライドカム２２ａに固定されているスライダー２３が奥行き方向奥側に更にスライドする。このとき、スライダー２３の第１の各楔状突部２３１の上端面２３１ａがキーボードユニット２４の第２の楔状突部２４１の下端面２４１ａに当接してスライドする。このときにも、スライダー２３が奥行き方向にスライドしても、キーボードユニット２４が厚さ方向に上昇しない。
【００５１】
図８（Ａ）はキー５の位置を固定するための動作の終了状態を示す斜視図、図８（Ｂ）は本体部２に対して表示部３が平行になる状態を示す斜視図である。図１２（Ａ）は図８に示す電子機器１のＨ−Ｈ断面図、図１２（Ｂ）は図８（Ｂ）に示す電子機器１のＪ−Ｊ断面図である。
【００５２】
図７（Ｂ）に示す状態から本体部２に対して表示部３を図８（Ａ）に示すように更に回動させる。
このとき、図１２（Ａ）に示すように回動軸Ｘを軸として回動するピン３４ａが直線形状溝２２１ｂ内でスライドカム２２ａを押す。これにより、スライドカム２２ａがスライダー２３と共に奥行き方向奥側にスライドする。この結果、ピン３４ａがカム溝２２１Ａの直線形状溝２２１ｂの上方端付近に位置するときにスライダー２３のスライド量が最大となる（スライド量Ｓ）。このとき、スライダー２３の各第１の楔状突部２３１の上端面２３１ａがキーボードユニット２４の各第２の楔状突部２４１の下端面２４１ａに奥行き方向でほぼ対応して配置される。これにより、各上端面２３１ａにより各下端面２４１ａが支持される。この結果、スライダー２３及びキーボードユニット２４が本体部２のキー部キャビネット２１に対して位置決めされる。
【００５３】
このようにして、キーボードユニット２４の位置を固定する動作が終了する。つまり、図５（Ａ）から図８（Ａ）及び図９（Ａ）から図１２（Ａ）に示すように、表示部３の回動に連動して、スライドカム２２ａ，２２ｂが奥行き方向（Ｙ方向）奥側にスライドすると共に、各キー５が本体部２の表面２Ａから突出し位置決めされる。
【００５４】
次に、図８（Ａ）に示す状態から本体部２に対して表示部３を図８（Ｂ）に示すように更に回動させる。
このとき、図１２（Ｂ）に示すように回動軸Ｘを軸として回動するピン３４ａが回動軸Ｘを中心として更に回動するが、第２の円弧状溝２２１ｃがピン３４ａの移動の軌跡に沿うように形成されているので、ピン３４ａは第２の円弧状溝２２１ｃ内でスライドカム２２ａに力を働かせることなく回動する。つまり、図１２（Ａ）に示す状態から図１２（Ｂ）に示す状態の間では、スライドカム２２ａ及びスライダー２３は、奥行き方向（Ｙ方向）にスライドしない。この結果、この間では、各キー５が上昇することはない。
【００５５】
図１３は図２に示す電子機器１のＭ−Ｍ断面図である。
次に、図８（Ｂ）に示す状態から本体部２に対して表示部３を図１３に示すように更に回動させる。
このとき、回動軸Ｘを軸として回動するピン３４ａが回動軸Ｘを中心として回動するが、第２の円弧状溝２２１ｃがピン３４ａの移動の軌跡に沿うように形成されているので、ピン３４ａは、第２の円弧状溝２２１ｃ内でスライドカム２２ａに力を働かせることなく回動する。表示部３の回動の結果、図１３に示すようにピン３４ａは、第２の円弧状溝２２１ｃの端に位置する。このとき、各第１の突部３３ａ，３３ｂに形成された係止溝３３ｃは、キーカバー２５の端部に係止される。
【００５６】
＜作用等＞
このように本実施形態によれば、軸受部３３１ａ，３３１ｂが設けられた第１の突部３３ａ，３３ｂが表示部３の裏面３Ｂから裏面３Ｂに直交する方向に突設され、軸２１１ａ，２１１ｂを備える第２の突部２１ｂ，２１ｃが本体部２の表面２Ａから表面２Ａに直交する方向に突設されている。このため、表示部３を連結機構４１に重なる位置まで設けることができ、表示部３のサイズを連結機構４１の奥行き方向（Ｙ方向）のサイズｃの分、大きくすることができる。
【００５７】
第１の突部３３ａ，３３ｂ，第２の突部２１ｂ，２１ｃが略円板形状を有し、軸２２１ａ，２２１ｂおよび軸受部３３１ａ，３３１ｂが本体部２の表面２Ａからこの表面２Ａに直交する方向（Ｚ方向）に突出した位置で回動自在に連結されている。つまり、回動軸Ｘが表面２ＡからＺ方向により近い位置にある場合に比べて、表面２Ａに対する連結部４の表面のなす角度（表面２Ａに対して立ち上がる連結部４の表面と、表面２Ａとのなす角度）を大きくすることができる。このため、表示部３を連結部４の第２の突部２１ｂ，２１ｃの表面に沿うように回動させるときにおいて、表示部３の回動可能な角度の範囲を広くすることができる。このように、表示部３の裏面３Ｂと本体部２の裏面２Ｂとが対向する閉じた状態（図１）と、本体部２の表面２Ａに対する表示画面３ａのなす角度θが鈍角となる開いた状態（図２）との間で、本体部２に対して表示部３を回動させることができる。
【００５８】
このように、バッテリ４２Ａを内蔵する連結部４を軸に回動する逆クラムシェル型の携帯電話を実現することができる。図１に示す表示部３を閉じた状態においては、表示部３の表示画面３ａがタッチパネルとして機能し、表面３Ａ全面がタッチパネルの携帯電話として用いることができる。図２に示す表示部３を開いた状態では、ＱＷＥＲＴＹキーボードを有する小型パーソナルコンピュータとして用いることができる。
【００５９】
一対の連結機構４１の間には、円柱状のバッテリ４２Ａと、バッテリ４２Ａを収容する円柱形状のバッテリ収容部４２を備えるので、一対の連結機構４１の間の領域を最大限用いて電子機器１の小型化を図りつつバッテリ４２Ａの大容量化を図ることができる。
【００６０】
第１の突部３３ａ，３３ｂは、それぞれ図２に示すように本体部２に対して表示部３が開いた状態で、キーカバー２５の端部に当接し本体部２の表面２Ａに対する表示画面３ａのなす角度θを規制する係止溝３３ｃを備える（図１３参照）。このため、本体部２に対する表示部３の回動角度を確実かつ簡単な構成で規制することができる。
【００６１】
各キー５の昇降機構として、第１の突部３３ａ，３３ｂにそれぞれ突設されたピン３４ａ，３４ｂと、ピン３４ａ，３４ｂの係合するカム溝２２１Ａ，２２１Ｂがそれぞれ形成されたスライドカム２２ａ，２２ｂと、奥行き方向にスライド可能に設けられ複数の第１の楔状突部２３１を有するスライダー２３と、底面２４Ｂ側に複数の第２の楔状突部２４１が形成されたキーボードユニット２４とを備える。
このため、表示部３の回動に連動して各キー５を本体部２の表面２Ａから上昇させることができると共に、逆に、表示部３の回動に連動して各キー５を本体部２の表面２Ａから下降させることができる。
【００６２】
図１２（Ａ）に示すように、スライダー２３の各第１の楔状突部２３１の上端面２３１ａにより、キーボードユニット２４の各第２の楔状突部２４１の下端面２４１ａをそれぞれ支持することができる。このため、キーボードユニット２４の底面２４Ｂ側をほぼ全域に亘って確実に支持することができると共に、各キー５の鍵打感を良好なものとすることができる。
【００６３】
図１に示すように各キー５が下降した状態では、本体部２の表面２Ａと各キー５の上面とがほぼ同一平面内に位置するので、ユーザが電子機器１を持ち易くなるようにすることができる。
【００６４】
図２６に示すように、本体部２に対して表示部３を折り畳んだ状態では、シリンダー状の連結部４をグリップして保持できるので、電子機器１を持ち易く、連結部４をグリップした状態で、親指Ｔで表示画面３ａでのタッチ操作を容易にすることができる。
【００６５】
一方、図２や図１２（Ｂ）に示すように本体部２に対して表示部３を開いた状態で、各キー５を上昇させることができるので、例えば表示画面３ａを見ながらキー入力操作を容易に行うことができる。
【００６６】
図１４は図１に示す電子機器１の一使用例を示す側面図である。本体部２に対して表示部３を閉じた状態で本体部２及び連結部４側を載置面Ｇ側にして電子機器１を載置面Ｇに載置して用いることも可能である。このとき、連結部４の一部と、本体部２の端部とが載置面Ｇに当接する。この場合には、連結部４及びバッテリ収容部４２が本体部２の表面２Ａから突出する略円柱形状を有しているので、表示画面３ａが載置面Ｇに対して所定の角度で傾斜する。この結果、ユーザによる表示画面３ａのタッチ操作をより容易に行うことができる。
【００６７】
［第２の実施の形態］
次に、本発明に係る第２の実施の形態の電子機器について説明する。なお、本実施形態以降では、上記実施形態と同一の構成部品等には同一の符号を付しそれらの説明を省略し異なる箇所を中心に説明する。
【００６８】
＜電子機器の構成＞
図１５は第２の実施の形態の電子機器の閉じた状態を示す斜視図、図１６は図１５に示す電子機器の開いた状態を示す斜視図である。
【００６９】
電子機器１´は、上記第１の実施の形態の電子機器１に比べて、後述する本体部２´に対して表示部３を回動自在に連結する連結機構４１ａ，４１ｂを備える点と、第１の実施の形態の複数のキー５の昇降機構とは異なる昇降機構を備える点とが異なる。
【００７０】
図１７は図１５に示す電子機器１´の内部構造を示す斜視図、図１８は表示部３を開いた状態での電子機器１´の内部構造を示す斜視図、図１９は表示部３を閉じた状態での電子機器１´の内部構造を示す平面図、図２０は表示部３を開いた状態での電子機器１´の内部構造を示す平面図、図２１は表示部３を閉じた状態での電子機器１´の内部を底面側から見た斜視図である。なお、図１７〜図２１においては、本体部２´及び表示部３等の外形を１点鎖線で示す。
【００７１】
（連結機構４１ａ，４１ｂ）
連結機構４１ａは、第１の突部３３ａと軸受け部材２０１ａとを備える。第１の突部３３ａの側面には、図１７及び図１９に示すように回動軸Ｘに沿う方向に軸２０２ａが突出して設けられている。軸２０２ａは、図１９に示すようにバッテリ収容部４２内でバッテリ収容部４２側にネジ等により固定された軸受け部材２０１ａの軸孔２０３ａに嵌っている。
【００７２】
連結機構４１ｂは、第１の突部３３ｂと軸受け部材２０１ｂとを備える。第１の突部３３ｂの側面には、図１７及び図１９に示すように回動軸Ｘに沿う方向に軸２０２ｂが突出して設けられている。軸２０２ｂは、図１９に示すように軸受け部材２０１ｂの軸孔２０３ｂに嵌っている。これにより、本体部２´に対して表示部３が回動自在に連結されている。
【００７３】
（複数のキー５の昇降機構）
第２の実施形態の昇降機構は、本体部２´に対する表示部３の回動に連動して複数のキー５を昇降させる。この昇降機構は、図１７に示すように本体部２´の左側に設けられ昇降機構の一部を構成する固定用板２１９ａ、カムレバー２２０ａ、カムスライダー２２２ａ、ホルダー２２３ａ、後述する図示しないバネと、本体部２´の右側に設けられ昇降機構の他の一部を構成する固定用板２１９ｂ、カムレバー２２０ｂ、カムスライダー２２２ｂ、ホルダー２２３ｂ、バネ２２４ｂ（図２１参照）とに加え、受け台２２５と、キーボードユニット２２６とを備える。本体部２´の左側に配置された昇降機構の一部と、本体部２´の右側に配置された昇降機構の他の一部については、ほぼ同様の構成を有するので、後者について説明し、前者については説明を省略する。
【００７４】
固定用板２１９ｂは、例えば矩形状を有し、第１の突部３３ｂの内部で第１の突部３３ｂに対してネジ等により固定されている（図１９参照）。
【００７５】
カムレバー２２０ｂは、固定用板２１９ｂと一体的に構成されており、カムスライダー２２２ｂに当接する曲面２２０Ｂを備える。カムレバー２２０ｂの曲面２２０Ｂから回動軸Ｘまでの長さＲは、回動軸Ｘを中心とした時計周りに徐々に短くなる（図２２参照）。カムレバー２２０ｂは、表示部３の回動に伴い固定用板２１９ｂと一体的に回動軸Ｘを軸として回動する。このとき、カムレバー２２０ｂの曲面２２０Ｂは、カムスライダー２２２ｂに対して摺動する。
【００７６】
本体部２´の長手方向（Ｘ方向）の右端部には、奥行き方向（Ｙ方向）に長いホルダー２２３ｂが配置されている。ホルダー２２３ｂは、図１９に示すように奥行き方向（Ｙ方向）に長いカムスライダー２２２ｂを奥行き方向に移動可能に支持する（図１７参照）。ホルダー２２３ｂは、奥行き方向（Ｙ方向）に長い矩形状の平板部２２３Ａと、平板部２２３Ａに対して厚さ方向に折れ曲がって設けられた側壁部２２３Ｂとを備える。
【００７７】
カムスライダー２２２ｂは、図１７から図２１に示すように平板部２２２Ａと、平板部２２２Ａに対して本体部２´の厚さ方向に立設された側壁部２２２Ｂと、カムレバー２２０ｂに当接する当接部２２２Ｃとを備える。当接部２２２Ｃは、平板部２２２Ａに対して厚さ方向に折れ曲がるように設けられている（図１８参照）。平板部２２２Ａには、図１９に示すように奥行き方向（Ｙ方向）に長手方向を有する溝２２２ｄが複数個形成されている。各溝２２２ｄは、奥行き方向に離間して形成されている。各溝２２２ｄの奥行き方向の長さによりカムスライダー２２２ｂのスライドする長さが規定される。各溝２２２ｄ内には、図１９では図示しないホルダー２２３ｂから厚さ方向（Ｚ方向）に突出するピン２２３ｄがそれぞれ嵌っている。
【００７８】
図２１に示すように、バネ２２４ｂは、カムスライダー２２２ｂの平板部２２２Ａ及び側壁部２２２Ｂと、ホルダー２２３ｂの側壁部２２３Ｂとで形成された奥行き方向に亘る空間内に設けられている。バネ２２４ｂの一端は、カムスライダー２２２ｂの平板部２２２Ａに係止され、バネ２２４ｂの他端は、ホルダー２２３ｂの奥行き方向の奥側の位置に係止されている。
【００７９】
カムスライダー２２２ｂの当接部２２２Ｃは、図１９及び図２１に示すようにバネ２２４ｂの力によりカムレバー２２０ｂに押し当てられている。つまり、表示部３の回動に伴い固定用板２１９ｂと一体的にカムレバー２２０ｂが回動し、カムレバー２２０ｂの回動に連動してカムスライダー２２２ｂが奥行き方向（Ｙ方向）にスライドする。
【００８０】
カムスライダー２２２ｂの側壁部２２２Ｂには、貫通孔２２２Ｄが複数個形成されている。各貫通孔２２２Ｄは、奥行き方向（Ｙ方向）に離間して形成されている。各貫通孔２２２Ｄは、細長い孔であり、それぞれ傾斜孔２２２Ｅと、傾斜孔２２２Ｅの一端に繋がって形成された第１の案内孔２２２Ｆと、傾斜孔２２２Ｅの他端に繋がって形成された第２の案内孔２２２Ｇとで形成されている。各傾斜孔２２２Ｅは、厚さ方向（Ｚ方向）で異なる高さ位置に亘って傾斜する孔である。各傾斜孔２２２Ｅは、奥行き方向（Ｙ方向）で奥側に向かって厚さ方向（Ｚ方向）に低い位置（本体部２´の裏面側）に落ち込む。第１の案内孔２２２Ｆ及び第２の案内孔２２２Ｇは、カムスライダー２２２ｂがスライドする方向（Ｙ方向）に平行に形成されている。
【００８１】
各貫通孔２２２Ｄ内には、貫通孔２２２Ｄ内を貫通孔２２２Ｄに沿って移動可能な軸部２３０が挿入されている。各軸部２３０の軸方向は、回動軸Ｘの軸方向に沿っている。各軸部２３０の先端側とは反対側は、受け台２２５に固定されている。つまり、例えば受け台２２５の左右の側面にそれぞれ２個ずつ設けられた軸部２３０が、カムスライダー２２２ａ，２２２ｂのそれぞれの貫通孔２２２Ｄに挿入されている。これにより、カムスライダー２２２ａ，２２２ｂの奥行き方向（Ｙ方向）へのスライドに連動して、各貫通孔２２２Ｄが各軸部２３０を厚さ方向（Ｚ方向）に高い位置又は低い位置に案内することで、各軸部２３０と一体的に受け台２２５が厚さ方向（Ｚ方向）に昇降する。受け台２２５内には、キーボードユニット２２６が収められ固定されている。
【００８２】
＜開閉動作＞
次に、第２の実施の形態の電子機器１´の表示部３の開閉動作について説明する。
【００８３】
図２２は表示部３を閉じた状態での電子機器１´の内部構造を示す側面図、図２３は表示部３を開いた状態での電子機器１´の内部構造を示す側面図である。
【００８４】
図２２に示す本体部２´に対して表示部３を閉じた状態と、図２３に示す本体部２´に対して表示部３を開いた状態との間での表示部３の開閉動作について説明する。
【００８５】
表示部３を閉じた状態では、図２２に示すように、各軸部２３０は、貫通孔２２２Ｄの案内孔２２２Ｆ内に位置している。つまり、貫通孔２２２Ｄ内の本体部２´の厚さ方向（Ｚ方向）で低い位置に位置している。このため、各軸部２３０が固定された受け台２５５が厚さ方向（Ｚ方向）に低い位置に配置される。この結果、受け台２２５に収められたキーボードユニット２２６の各キー５は、本体部２´の表面２Ａから僅かに陥没している。カムスライダー２２２ｂの当接部２２２Ｃがカムレバー２２０ｂの曲面２２０Ｂに当接した状態で、カムスライダー２２２ｂはバネ２２４ｂ（図２１参照）によりカムレバー２２０ｂに対して押し付けられている。
【００８６】
本体部２´に対して表示部３を回動させると、図２３に示すように表示部３と一体的に固定用板２１９ｂとカムレバー２２０ｂとが反時計回りに回動する。回動軸Ｘからカムレバー２２０ｂの曲面２２０Ｂまでの長さＲが時計回りの方向で徐々に短くなるため、カムレバー２２０ｂの反時計回りの回動に連動して、カムスライダー２２２ｂが奥行き方向（Ｙ方向）奥側にスライドする。各貫通孔２２２Ｄには傾斜孔２２２Ｅが形成されているので、カムスライダー２２２ｂの奥行き方向（Ｙ方向）のスライドに連動して、各軸部２３０が各傾斜孔２２２Ｅを下方から上方に案内され、図２３に示すように各軸部２３０が厚さ方向（Ｚ方向）に上昇する。各軸部２３０は、受け台２２５に固定されているので、各軸部２３０と一体的に受け台２２５が厚さ方向（Ｚ方向）に上昇する。この結果、表面２Ａから各キー５が上昇する。
【００８７】
＜作用等＞
このように本実施形態によれば、上記第１の実施形態と同様に、表示部３の奥行き方向（Ｙ方向）のサイズを大きくすることができると共に、表示部３の開閉動作に各キー５の昇降動作を連動させることができる。
【００８８】
［変形例］
上記第１の実施形態の本体部２や上記第２の実施形態の本体部２´に対する表示部３の開閉動作に連動する各キー５の昇降機構の変形例について説明する。
【００８９】
図２４（Ａ）は変形例の電子機器を折り畳んだ状態でのキーボードユニットを示す断面図、図２４（Ｂ）は変形例の電子機器を開いた状態でのキーボードユニットを示す断面図である。
【００９０】
本変形例の電子機器は、本体部に対する表示部の開閉動作に連動してキーボードユニット３００のキーボードユニットスライダー３０１を奥行き方向（Ｙ方向）にスライドさせる機構を備える。本変形例のスライド機構は、上記第１の実施形態のスライダー２３（図４参照）のスライド機構又は上記第２の実施形態のカムスライダー２２２ｂ（図１８参照）のスライド機構と同様のスライド機構を用いることができるので、その説明を省略する。
【００９１】
キーボードユニット３００は、複数のキー５、キーボードユニットスライダー３０１、上面部３０２、連結部材３０３を備える。
【００９２】
上面部３０２は、キーボードユニット３００の上面側を構成する。上面部３０２には、各キー５の昇降する開口部３０２ａが複数個形成されている。本体部に対して表示部を閉じた状態では、図２４（Ａ）に示すように上面部３０２の上面と、各キー５の上面とはほぼ同一平面（ＸＹ平面）内に位置する。各キー５には、キー５の上面に対して直交する方向（Ｚ方向）に突設されたガイド３０６が形成されている。
【００９３】
各キー５と、キーボードユニットスライダー３０１とは、それぞれ２個の連結部材３０３により回動自在に連結されている。各連結部材３０３の一端部とキーボードユニットスライダー３０１とは、連結軸部３０４により互いに回動自在に連結されている。各連結部材３０３の他端部と各キー５とは、連結軸部３０５により互いに回動自在に連結されている。各連結軸部３０４，３０５は、例えばヒンジ構造を有する。
【００９４】
本体部に対する表示部の回動に連動してキーボードユニットスライダー３０１が奥行き方向（Ｙ方向）奥側（図２４の右側）にスライドする。このとき、キーボードユニット３００の上面部３０２はスライドしない。このため、各キー５のガイド３０６は、上面部３０２の開口部３０２ａから、キーボードユニットスライダー３０１のスライドする向きとは反対向きに力を受ける。この結果、キーボードユニット３００の上面部３０２の開口部３０２ａに対して各キー５のガイド３０６が当接した状態で、キーボードユニットスライダー３０１に対して連結部材３０３が立ち上がるように反時計回りに回動する（図２４（Ｂ）参照）。このとき、各キー５に突設されたガイド３０６が上面部３０２の開口部３０２ａに対して摺動するので、図２４（Ｂ）に示すように各キー５が厚さ方向（Ｚ方向）に滑らかに上昇する。
【００９５】
図２４（Ｂ）に示すように各キー５が上昇した状態で、ガイド３０２の下端が上面部３０２の上面より下方に位置したままである。このため、図２４（Ｂ）に示す表示部を開いた状態から図２４（Ａ）に示す表示部を閉じた状態にするときに、各キー５のガイド３０６が開口部３０２ａに対して摺動するようにすることができる。このように多様なキーボードユニットに対して本発明を適用することができる。
【００９６】
本発明は、上記の実施形態に限定されない。本発明は、その技術思想の範囲内で様々に変形して実施することが可能である。
【００９７】
上記第１の実施形態では、本体部２に対する表示部３の回動に連動して、各キー５が昇降する例を示した。この場合には、表示部３を閉じた状態において、各キー５が本体部の上面から突出しないので、各キー５の誤操作の発生を防止することができる。しかし、例えば電子機器が各キー５の昇降機構を備えずに、表示部３を閉じた状態においても各キー５が本体部の上面から突出した状態のままとなるようにして、表示部を折り畳んだ状態で各キー５による入力操作を行うことができるようにしてもよい。この場合には、ユーザは、表示画面を見ながら本体部から突出する各キー５を操作することができる。
【００９８】
上記第１の実施形態では、図１に示す表示部３を閉じた状態で、本体部２のキーカバー２５の表面２Ａと、各キー５の上面とがほぼ同一平面内に位置する例を示した。しかし、図１に示す表示部３が閉じられた状態で、本体部２のキーカバー２５の表面２Ａから各キー５が僅かに陥没するようにしてもよい。逆に、上記第２の実施形態では、図２２に示す表示部３が閉じられた状態で、本体部２´の表面２Ａから各キー５が僅かに陥没している例を示した。しかし、図２２に示す表示部３が閉じられた状態で、表面２Ａと各キー５の上面とがほぼ同一平面内に位置するようにしてもよい。
【００９９】
図２５は他の変形例の電子機器の構成を示す斜視図である。同図に示すように連結機構４１ａに隣接して設けられている端部４０１にカメラ４００を内蔵するようにしてもよい。つまり、端部４０１の図２５で斜線で示す外曲面に露出するようにカメラ４００を備えるようにしてもよい。カメラ４００の位置は、図２５で斜線で示す領域内において適宜変更可能である。なお、連結機構４１ｂに隣接して設けられた端部４０２に図示しないカメラを内蔵するようにしてもよい。これにより、本体部２´に対して表示部３を開いた状態で、表示画面３ａを見ながらキー入力をすることができると共に、カメラ４００を用いて撮影することができる。また、表示部３を閉じた状態でもカメラ４００を用いて撮影することができる。また、カメラ４００の代わりに又はカメラ４００に加えて小型のプロジェクタを端部４０１又は端部４０２の外曲面に露出するように設けるようにしてもよい。例えば端部４０２の外曲面のうち背面５００側に露出するように図示しないプロジェクタを設けることで、プロジェクタから電子機器の後方に向けて画像光を投射することができる。この結果、本体部２´に対して表示部３を開いた状態で、表示画面３ａを見ながらキー入力をすることができると共に、例えばスクリーン等にプロジェクタから画像を投影することができる。同様に、図２に示す電子機器１において、図３に示す第２の突部２１ｂや円柱状端部２１ｄにカメラやプロジェクタを内蔵するようにしてもよい。この場合にも、他の変形例の電子機器と同様の効果を得ることができる。
【符号の説明】
【０１００】
Ｘ  回動軸
Ｙ  奥行き方向
Ｚ  厚さ方向
１，１´  電子機器
２，２´  本体部
２Ａ  表面（第２の表面）
２Ｂ  裏面（第２の裏面）
３  表示部
３Ａ  表面（第１の表面）
３Ｂ  裏面（第１の裏面）
３ａ  表示画面
４  連結部
５  キー
２１ｂ，２１ｃ  第２の突部
２２ａ，２２ｂ  スライドカム
２３  スライダー
２４，２２６，３００  キーボードユニット
２５ａ  開口
３３ａ，３３ｂ  第１の突部
３４ａ，３４ｂ  ピン
３３ｃ  係止溝
４１，４１ａ，４１ｂ  連結機構
４２  バッテリ収容部
４２  バッテリ
２０１ａ，２０１ｂ  軸受け部材
２０２ａ，２０２ｂ，２１１ａ，２１１ｂ  軸
２３０  軸部
２２０ａ，２２０ｂ  カムレバー
２２１Ａ，２２１Ｂ  カム溝
２２２ａ，２２２ｂ  カムスライダー
２２２Ｄ  貫通孔
２２２Ｅ  傾斜孔
２２３ａ，２２３ｂ  ホルダー
２２４ｂ  バネ（弾性部材）
２３１  第１の楔状突部
２３１ｂ  第１の傾斜面
２４１ｂ  第２の傾斜面
２４１  第２の楔状突部
２５５  受け台（支持台）
３３１ａ，３３１ｂ  軸受部
【図１】
2011048536.tif 000003
【図２】
2011048536.tif 000004
【図３】
2011048536.tif 000005
【図４】
2011048536.tif 000006
【図５】
2011048536.tif 000007
【図６】
2011048536.tif 000008
【図７】
2011048536.tif 000009
【図８】
2011048536.tif 000010
【図９】
2011048536.tif 000011
【図１０】
2011048536.tif 000012
【図１１】
2011048536.tif 000013
【図１２】
2011048536.tif 000014
【図１３】
2011048536.tif 000015
【図１４】
2011048536.tif 000016
【図１５】
2011048536.tif 000017
【図１６】
2011048536.tif 000018
【図１７】
2011048536.tif 000019
【図１８】
2011048536.tif 000020
【図１９】
2011048536.tif 000021
【図２０】
2011048536.tif 000022
【図２１】
2011048536.tif 000023
【図２２】
2011048536.tif 000024
【図２３】
2011048536.tif 000025
【図２４】
2011048536.tif 000026
【図２５】
2011048536.tif 000027
【図２６】
2011048536.tif 000028